【事件の表示】
　平成１０年特許願第２６２０２１号「ＦＤ対応電子機器にＩＣカードを転用するためのカードカートリッジ」拒絶査定不服審判事件〔平成１２年　３月３１日出願公開、特開２０００−　９０２１１〕について、次のとおり審決する。
【結　論】
　本件審判の請求は、成り立たない。
【理　由】
（手続の経緯、本件発明）
　本願は、平成１０年９月１６日の出願であって、その請求項１に係る発明（以下、本件発明という。）は、平成１１年７月１５日付け、平成１１年１０月２２日付けの各手続補正書により補正された明細書及び図面の記載からみて、その特許請求の範囲に記載された次のとおりのものである。
「ＦＤ対応電子機器のＦＤ受口を通じてＦＤドライブ装置内へ挿入することができる形状を有する模擬ＦＤカートリッジ本体内に、ＩＣカードを装脱するカード収容スペースと、上記ＦＤドライブ装置内へ挿入された時に同ドライブ装置の磁気ヘッドと対向するように配置された電気−磁気変換器と、ＩＣカードと電気−磁気変換器間における電気信号の入出力を制御する制御回路と、電源用の電池と、ＦＤドライブ装置内への挿抜と連動してＯＮ・ＯＦＦ操作される模擬ＦＤカートリッジ本体の前面内側に配した電池用の第１，第２スイッチエレメントとを有し、該第１，第２スイッチエレメントが上記ＦＤドライブ装置内に設けられたＦＤシャッター開閉手段によってＯＮ・ＯＦＦ操作されるように設置されたＦＤ対応電子機器にＩＣカードを転用するためのカードカートリッジにおいて、上記第１スイッチエレメントに隣接して感知レバーを配し、この感知レバーに設けた受圧部をカートリッジ本体の前面に設けた開口を通し露出し、上記模擬ＦＤカートリッジ本体をＦＤ対応電子機器のＦＤ受口を通してＦＤドライブ装置内に挿入すると、同装置内に既設の上記シャッター開閉手段が上記感知レバーの受圧部に係合して感知レバーを変位せしめ、該変位した感知レバーが上記第１スイッチエレメントを押圧して上記第２スイッチエレメントに加圧接触せしめ上記電池をＯＮ状態にする構成としたことを特徴とするＦＤ対応電子機器にＩＣカードを転用するためのカードカートリッジ。」
（先願明細書記載の発明）
　これに対し、原審において拒絶の理由に引用された特願平９−２８５３００号（特開平１１−１２０３１５号公報参照）の願書に最初に添付された明細書、図面に記載された発明（以下、先願明細書記載の発明という。）には、ディスクカートリッジ型アダプタに関する発明が記載されており、「【００１８】【発明の実施の形態】以下の説明ではディスクカートリッジ型アダプタとして、３．５インチのＦＰＤと同一形状をしたディスクカートリッジ型アダプタを例として説明する。また、ディスクカートリッジ駆動装置としては、ＦＰＤを駆動するＦＤＤを例として説明する。全図を通して、同一参照番号は同一のものを示す。」、「【００１９】最初に、図３から図８により、本発明の実施の形態の前提となる、ディスクカートリッジ型アダプタおよびＦＤＤの構造について説明する。図３は本発明の実施の形態による３．５インチのＦＰＤと同一形状をしたディスクカートリッジ型アダプタの表面を示す外形図である。３．５インチのＦＰＤの外形は国際統一規格で定められており、ディスクカートリッジ型アダプタ５０はその外形と同一形状を有している。５１はヘッド部である。ＦＰＤの場合は、ＦＰＤがＦＤＤに挿入されていない時はヘッド部に埃が入らないようにシャッタにより覆われており、ＦＰＤをＦＤＤに挿入時にＦＤＤ側の磁気ヘッドと磁気結合できるようにシャッタが開くようになっている。・・・」、「【００２０】図４は上記アダプタの裏面の概略図である。中央の円形部５３は円形凹部である。ＦＰＤの場合はこの円形凹部に円形の金属製ハブが取り付けられており、その金属製ハブがＦＤＤ内の駆動用モータのスピンドル軸の回転に連動する磁石に吸着するようになっている。アダプタにおけるこの円形凹部５３には金属製ハブは取り付けても取り付けなくてもよい。５５はＩＣカード５６が装着されるＩＣカード装着部である。」、「【００２１】図５は図３および図４に示した本発明の実施の形態のよるディスクカートリッジ型アダプタ５０の構成をより詳細に示すブロック図である。図において、図４と同一部分には同一参照番号を付してあり、説明を省略する。８１は電池部、８２はＭＦＭ（モディフィアドＦＭ）変調／復調部、８３はＩＣカードとＦＤＤ７０との間のデータ通信を制御するためのプログラムを格納するＲＯＭおよびそのデータ通信の際に必要なデータを一時的に格納するＲＡＭを内蔵したＭＰＵ、８４はＩＣカード５６に対する書き込みおよび読み出しのためのカード接点部である。ＩＣカード５６がＩＣカード装着部５５に挿入されている。」、「【００２７】・・・。図７の（ａ）は図３および図４に示したディスクカートリッジ型アダプタ５０又はＦＰＤが挿入されるＦＤＤ７０の正面図、図７の（ｂ）はそのＦＤＤ７０の横断面図、図７の（ｃ）はそのＦＤＤ７０の側面図である。図７の（ａ）において、７１はＦＰＤ又は本発明のよるディスクカートリッジ型アダプタ５０が挿入される挿入口、・・・」、「【００２８】・・・。図８の（ａ）は本発明の実施の形態に使用されるＦＤＤ７０の内部構造とこのＦＤＤ７０に挿入されようとしているＦＰＤの一部を示す概略平面図、図７の（ｂ）は図８の（ａ）の右側面図である。図８の（ａ）および（ｂ）において、７０はＦＤＤ、７１はＦＰＤ、７００はＦＰＤ７１又は本発明のよるディスクカートリッジ型アダプタ５０を収容するＦＰＤ収容架、７０１はパーソナルコンピュータ等のデータ処理装置（図示せず）との間で信号を転送するための信号インターフェース、７０２は電源インターフェースである。」、「【００２９】７０３はＦＰＤ７１内の磁気ディスクを回転させるためのモータ、７０４はＦＰＤ７１のヘッド７２０を覆っているシャッタ７２１をＦＰＤ７１のＦＤＤ７０への挿入時に開き、ＦＤＤ７０からのＦＰＤ７１の排出時には閉じるために、ＦＰＤの切り欠き部７２３に沿って先端部が移動するようになっているシャッタ開閉ノブである。」、「【００３０】７０５はＦＰＤ７１の挿入時にＦＰＤ７１がそれ以上ＦＤＤの内部に押し込まれないようにＦＰＤ７１の先端部に接触するストッパ、７０６はＦＤＤ７０のヘッド部、・・・」、「【００３１】なお、ＦＰＤ７１における７２３は窓であり、ＦＤＤ７０に挿入時にシャッタ開閉ノブ７０４により図示矢印で示すようにシャッタ７２２が図の左側に移動すると、ヘッド部７２０が窓７２１に重なってヘッド部７２０がＦＤＤ７０のヘッド部７０に対向するようになる。・・・」、「【００３２】・・・図９は本発明の本発明の第１の実施の形態によるディスクカートリッジ型アダプタの外観図である。同図において、ディスクカートリッジ型アダプタ５０ａはその切り欠き部５２に押しボタンスイッチ６４ａが設けられている。押しボタンスイッチ６４ａの位置は、ディスクカートリッジ型アダプタ５０ａがディスクカートリッジ駆動装置に挿入完了したときのシャッタ開閉ノブ７０４の先端部の停止位置である。押しボタンスイッチ６４ａはスプリング、バネ等の弾性体により支持されており、押下されるとディスクカートリッジ型アダプタの媒体内に引っ込み、押下されていない状態では、元の位置に戻る。」、「【００３３】図１０は図９のディスクカートリッジ型アダプタ５０ａの電気的構成の概略を示す図である。このディスクカートリッジ型アダプタ５０ａがＦＤＤ７０の外に排出された状態では、押しボタンスイッチ６４ａはオフの状態にあり、電池部８１からの電力は制御部８３に供給されない。このディスクカートリッジ型アダプタ５０ａがＦＤＤ７０に挿入された状態では、押しボタンスイッチ６４ａはシャッタ開閉ノブ７０４により押下されて、電池部８１からの電力が制御部８３に供給される。」、「【００３４】図１１の（ａ）はディスクカートリッジ型アダプタ５０ａがＦＤＤ７０に挿入される前の状態を示す外観および回路ブロックを示す図であり、図１１の（ｂ）はディスクカートリッジ型アダプタ５０ａがＦＤＤ７０に挿入された後の状態を示す外観および回路ブロックを示す図である。図示のように、シャッタ開閉ノブ７０４により押しボタンスイッチ６４ａが押下されると、押しボタンスイッチ６４ａがオンになって電池部８１からの電力が制御部８３に供給される。」と説明されている。
（対比、検討）
　本件発明と先願明細書記載の発明とを対比すると、
(a)先願明細書記載の発明のアダプタは、ＦＤＤにおいてもＩＣカードとデータのやり取りができるようにするために用いられるものであり、本件発明が、ＦＤ対応電子機器にＩＣカードを転用するためのカードカートリッジであるとする点と軌を一にする。
(b)先願明細書記載の発明のアダプタは、３．５インチのＦＰＤと同一形状をし、ＦＤＤの挿入口からＦＤＤ内に挿入されるようになっており、本件発明の模擬ＦＤカートリッジ本体が、ＦＤ対応電子機器のＦＤ受口を通じてＦＤドライブ装置内へ挿入することができる形状を有するとする点と実質的な差異はない。
(c)先願明細書記載の発明のアダプタは、ＩＣカードが装着されるＩＣカード装着部を有しており、本件発明の模擬ＦＤカートリッジ本体が、ＩＣカードを装脱するカード収容スペースを有するとする点と実質的な差異はない。
(d)先願明細書記載の発明のアダプタは、ＦＤＤのヘッド部に対向するようにヘッド部を設けており、本件発明の模擬ＦＤカートリッジ本体が、ＦＤドライブ装置内へ挿入された時に同ドライブ装置の磁気ヘッドと対向するように配置された電気−磁気変換器を有するとする点と実質的な差異はない。
(e)先願明細書記載の発明のアダプタは、ＩＣカードとヘッド部５１との間にＭＰＵを設け、ＩＣカードとＦＤＤとの間のデータ通信を制御しており、本件発明の模擬ＦＤカートリッジ本体が、ＩＣカードと電気?磁気変換器間における電気信号の入出力を制御する制御回路を有するとする点と実質的な差異はない。
(f)先願明細書記載のアダプタは電池を備えており、本件発明の模擬ＦＤカートリッジ本体が電源用の電池を備えるとする点と実質的な差異はない。
(g)先願明細書記載の発明のアダプタは、切り欠き部に押しボタンスイッチを設け、アダプタの挿抜に連動したシャッタ開閉ノブを押しボタンスッチに作用させて、電池部から制御部への電力の供給を制御するようにしており、本件発明の模擬ＦＤカートリッジ本体が、受圧部をカートリッジ本体の前面に設けた開口を通し露出し、模擬ＦＤカートリッジ本体をＦＤ対応電子機器のＦＤ受口を通してＦＤドライブ装置内に挿入すると、同装置内に既設のシャッター開閉手段が受圧部に係合して、電池をＯＮ状態にするとする点と実質的な差異はない。
  また、先願明細書には押しボタンスッチの具体的な構成についての記載がないが、支持体（シャフト）に支持された押しボタンのトップを押圧することにより、支持体の下に設けたスイッチをＯＮとする押しボタンスイッチといったものは、本件出願前普通に知られている（必要ならば、例えば、特開昭４８−４３８３３号公報、実開平５−６２９２７号、特開平５−２７６６８０号公報を参照されたい。）から、本件発明における第１、第２スイッチエレメント、及び、第１エレメントに隣接して受圧部を備えた感知レバーを設けるとする構成の採用、そして、それら構成を用いて、シャッター開閉手段が感知レバーの受圧部に係合して感知レバーを変位せしめ、変位した感知レバーが第１スイッチエレメントを押圧して第２スイッチエレメントに加圧接触せしめ電池をＯＮ状態にするとすることは、先願明細書記載の発明との実質的な差異には当たらない。
　以上(a)〜(g)のとおりであるから、本件発明と先願明細書記載の発明とに実質的な差異は見当たらない。
（まとめ）
　したがって、本件発明は、特許法第２９条の２の規定により特許を受けることができない。
　
　よって、結論のとおり審決する。